(57)【特許請求の範囲】
【請求項１】
マスク本体と、
前記マスク本体に結合された一対の耳材とを備えたマスクであって、
前記一対の耳材が、使用開始前の状態で、互いに分離可能に結合され且つ前記マスク本体の外面側に配置された単一の伸縮性シートから形成され、
前記一対の耳材が、それぞれ環を含む平面視形状を有し、前記環の少なくとも内側の輪郭が１以上の凸部を有する、マスク。
【請求項２】
前記マスクが、装着者の顔の上下方向に対応する縦方向と、前記縦方向に直交する横方向とを有し、
前記耳材がそれぞれ、
前記マスク本体に接着され、縦方向に沿って延在する接着部と、
装着時に装着者の耳の後ろに位置するフック部と、
上側において前記接着部から前記フック部へ移行する上側移行部と、
下側において前記接着部から前記フック部へ移行する下側移行部とを有し、
前記１以上の凸部が、少なくとも前記フック部に形成されている、請求項１に記載のマスク。
【請求項３】
前記１以上の凸部が、前記フック部の上部に形成された第１凸部と、前記フック部の下部に形成された第２凸部とを含む、請求項２に記載のマスク。
【請求項４】
少なくとも前記１以上の凸部が形成されている部分で、前記耳材の幅がほぼ一定である、請求項２又は３に記載のマスク。
【請求項５】
前記耳材の外面側に補助材を備え、
前記耳材が、前記補助材を介して前記マスク本体の側部にそれぞれ結合されている、請求項１から４のいずれか一項に記載のマスク。
【請求項６】
前記一対の耳材にそれぞれ摘み部が設けられ、使用開始時に、前記摘み部を摘まんで引っ張ることにより前記一対の耳材が互いに分離される、請求項１から５のいずれか一項に記載のマスク。
【発明の詳細な説明】
【技術分野】
【０００１】
本発明は、マスクに関する。
【背景技術】
【０００２】
顔に装着するマスクの構成として、装着者の顔を少なくとも部分的に覆うマスク本体と、マスク本体にそれぞれ結合された一対の耳材（又は耳掛け部）、すなわちマスク本体をその装着位置に保持するために装着者の各耳に掛けることができる部材とを備えたものが知られている。
【０００３】
近年、マスクの機能の向上、装着感の向上といった観点に加え、製造上の取り扱い易さの観点からも、マスクの構成が様々に検討されている。例えば、特許文献１には、マスク本体部と、マスク本体部に連接される耳掛け部とを備えるマスクであって、耳掛け部が両端部領域のそれぞれに接合され、マスクの平面視でマスク本体の外形内に本体の両端部領域に接合された両耳掛け部が収まるように構成され、両耳掛け部を、マスク本体の外形内で互いに接続する接続部を有するマスクが開示されている。また、特許文献１に開示の耳掛け部は、接続部で互いに接続された状態で同一平面上に延在する単一シート状の耳掛けシートから構成されている。
【先行技術文献】
【特許文献】
【０００４】
【特許文献１】特開第５７６２８０３号公報
【発明の概要】
【発明が解決しようとする課題】
【０００５】
特許文献１に開示のマスクでは、耳掛け部となる単一シートは、マスク本体の横方向の一端から他端にわたって配置されている。しかしながら、マスクによってはマスク本体のサイズを小さく設計する場合もあり、その場合、単一シートからなる耳掛け部のサイズも小さくせざるを得ない。そのため、マスク本体の大きさによっては、耳掛け部（耳材）の長さを十分に確保できず、装着時に装着感を損ねる場合がある。
【０００６】
上記に鑑みた本発明の一態様は、装着感を向上させた耳材を備えたマスクを提供することを課題とする。
【課題を解決するための手段】
【０００７】
本発明の第一の態様は、マスク本体と、前記マスク本体に結合された一対の耳材とを備えたマスクであって、前記一対の耳材が、使用開始前の状態で、互いに分離可能に結合され且つ前記マスク本体の外面側に配置された単一の伸縮性シートから形成され、前記一対の耳材が、それぞれ環を含む平面視形状を有し、前記環の少なくとも内側の輪郭が１以上の凸部を有する。
【０００８】
上記第一の態様によれば、耳材が伸縮性シートから形成されているので、装着時に耳材が伸長でき、装着者の耳の位置に応じて耳材の長さを調整できる。また、伸長された耳材の材料には収縮力が生じるので、その収縮力によって、耳材及びマスク本体をより確実に装着者の顔に固定できる。さらに、耳材に含まれる環形状の少なくとも内側の輪郭が１以上の凸部を有するので、耳材が少なくとも内側において、周方向に直交する方向に、言わば材料の追加分が付与されていることになる。そのため、耳材が周方向に伸長されると、内側の輪郭に形成されたその材料の追加分も伸長して耳材の周方向長さの増大に寄与できる。よって、マスク本体のサイズが小さかったとしても、一対の耳材を単一のシートとして形成するという構成を変更せずに、耳材の環の少なくとも内側の周方向長さを大きくできる。
【０００９】
本発明の第二の態様では、前記マスクが、装着者の顔の上下方向に対応する縦方向と、前記縦方向に直交する横方向とを有し、前記耳材がそれぞれ、前記マスク本体に接着され、縦方向に沿って延在する接着部と、装着時に装着者の耳の後ろに位置するフック部と、上側において前記接着部から前記フック部へ移行する上側移行部と、下側において前記接着部から前記フック部へ移行する下側移行部とを有し、前記１以上の凸部が、少なくとも前記フック部に形成されている。
【００１０】
マスクの装着時には、フック部の全体又は一部が耳たぶの裏側又は耳の付け根より後ろの部分と面接触し得る。よって、上記第二の態様によって１以上の凸部がフック部に形成されていると、耳たぶの裏側と面接触できる面積を大きくでき、最初に装着した位置で耳材をより安定的に保持することができる。また、フック部は装着時に耳によって隠されるので、耳材の輪郭に凸部のあるデザインを好まない装着者に好適に使用され得る。
【００１１】
本発明の第三の態様では、前記１以上の凸部が、前記フック部の上部に形成された第１凸部と、前記フック部の下部に形成された第２凸部とを含む。
【００１２】
マスクの装着時、マスクの大きさ、耳材の長さ、耳材と耳との間の摩擦力、装着者の顔の構造（耳の位置）等との関係で、フック部には不均一に力が掛かることが多い。例えば、フック部の上部が耳に引っ掛かってより強く引っ張られ、フック部の下部はあまり引っ張られない場合がある。その場合、フック部の上部は比較的伸長されやすく、またフック部の下部は比較的伸長されにくい。上記第三の態様によれば、耳材の環の内側の輪郭に形成された凸部が２以上であり、それぞれフック部の上部及び下部に形成されている。そのため、フック部の上部に形成された第１凸部は、主として耳材の周方向の長さを確保する上述の機能を果たし、フック部の下部に形成された第２凸部は、主として耳材を耳に安定して装着させる上述の機能を果たすことができる。
【００１３】
本発明の第四の態様では、少なくとも前記１以上の凸部が形成されている部分で、前記耳材の幅がほぼ一定である。
【００１４】
上記第四の態様によれば、凸部が形成されている部分において、耳材の幅がほぼ一定となっている。すなわち、耳材の環の内側の輪郭に形成されている凸部に対向して、外側の輪郭に凹部が形成されている。凸部が伸長される際には材料に歪みが生じるが、耳材の環の外側の輪郭に凹部が形成されていることで、環の内側における歪を環の外側に逃がすことができるので、耳材の伸長がより容易になり、装着時に、耳材の長さをより確実に確保できる。
【００１５】
本発明の第五の態様では、前記耳材の外面側に補助材を備え、前記耳材が、前記補助材を介して前記マスク本体の側部にそれぞれ結合されている。
【００１６】
上記第五の態様によれば、一対の耳材が補助材を介して本体にそれぞれ結合されているため、耳材と本体とを直接結合させることなくマスクを構成できる。そのため、本体と補助材との結合部、及び耳材と補助材との結合部を別々に形成できる。すなわち、それぞれの結合部を、直接結合させようとする２つの部材の材料に適合した形式で別個に形成できる。これにより、部材の機能や装着感を損わずに、耳材と本体との間に壊れ難い間接的な結合を形成でき、堅固なマスクが得られる。
【００１７】
本発明の第六の態様では、前記一対の耳材にそれぞれ摘み部が設けられ、使用開始時に、前記摘み部を摘まんで引っ張ることにより前記一対の耳材が互いに分離される。
【００１８】
上記第六の態様によれば、一対の耳材に設けられた摘み部を摘まむことができるので、耳材を分離させることが容易になる。また、耳材をそのまま側方に開いて容易に展開することができる。
【発明の効果】
【００１９】
本発明の一態様によれば、装着感を向上させた耳材を備えたマスクを提供できる。
【図面の簡単な説明】
【００２０】
【図１】本発明の一形態によるマスクの外側から見た平面図である。
【図２】図１に示すマスクの内側（顔側）から見た平面図である。
【図３】図１に示すマスクの使用方法の例を説明するための図である。
【図４】図３のＩ−Ｉ線断面図である。
【図５】本発明の一形態によるマスクの使用方法の例を説明するための図であり、一対の耳材がそれぞれ側方へ開かれた後の平面図である。
【図６】図５のＩＩ−ＩＩ線断面図である。
【図７】耳材の拡大平面図である。
【図８】マスクの使用開始前の状態での、補助材が設けられている部分の拡大平面図及び断面図である。
【図９】耳材が側方へ開かれた後の状態での、図８に対応する拡大平面図及び断面図である。
【発明を実施するための形態】
【００２１】
以下、図面を参照しながら、本発明の実施形態を詳説する。なお、各図面において、特に説明がない限り、同一の又は対応する構成については同一の符号を付して説明を省略する場合がある。また、図面は、発明の理解を助けるための模式的なものである。
【００２２】
（マスクの基本構成）
本発明の一形態によるマスクは、装着者の顔、より具体的には装着者の少なくとも鼻及び口を覆うことのできるマスクであってよい。本形態によるマスクは、異物が顔に到達することを防止したり、装着者から発生する飛沫が飛散することを防止したりする機能を有し得るものであって、衛生マスク又はサージカルマスクとも呼ばれる。
【００２３】
図１に、本形態によるマスク１００の平面図を示す。図１は、マスク１００を外側、すなわち装着時に顔に対向しない、外部に露出させる側から見た図である。また、図２に、マスクを内側（顔側）から見た平面図を示す。
【００２４】
図１に示すように、本形態によるマスク１００は、装着時に装着者の顔の正面に配置され、装着者の主として鼻及び口を覆うことができるマスク本体１０と、マスク本体１０に結合された一対の耳材２０、２０とを備えている。マスク本体１０は、装着時に装着者の顔の上下方向に対応する縦方向Ｄ１と、縦方向Ｄ１に直交する横方向Ｄ２とを有する。図１の形態では、マスク本体１０は、横方向Ｄ２に長辺を有する長方形の平面視形状を有するが、マスク本体１０の平面視形状は図示のものに限られない。
【００２５】
図１及び図２に示すように、マスク本体１０は、縦方向Ｄ１に並んで配置された複数の襞（プリーツ）によって形成されるプリーツ構造１５を有している。プリーツ構造１５の襞は、本体１０を構成するシートを横方向Ｄ２に沿った折り線にて折ることによって形成される。そして、複数の襞が形成された状態で、マスク本体１０の側部（横方向Ｄ２端部）が接合され、固定される。そのため、マスク１００の使用時には、プリーツ構造１５の襞を縦方向Ｄ１に広げることで、横方向Ｄ２中央が、マスク１００の外面側に突出するように湾曲して、顔の立体形状に適合するような形状に変形し得る。プリーツ構造１５の具体的な構成は特に限定されず、マスク本体に形成される公知の構成であってよい。
【００２６】
図１及び図２に示すように、一対の耳材２０、２０は、本体１０の外面に配置されている。図１に示すように、耳材２０はそれぞれ、平面視で環状（若しくは閉じた帯状）であるか、又は環を含む形状を有していてよい（耳材２０の環形状については後に詳述）。装着時には、耳材２０の環の内側、すなわち耳材２０の中央の開口２９に装着者の耳が入るようにして、耳材２０を耳に掛けることができる。
【００２７】
一対の耳材２０、２０は、横方向Ｄ２中央で互いに分離可能に結合した単一のシートとして構成されていてよい。一対の耳材２０、２０が単一のシートから構成されていることで、装着時に耳材２０を耳に掛けた時に耳たぶの裏面に面接触できるので、違和感や痛みが低減される。また、一対の耳材２０、２０の分離可能な結合部２８の結合形式は特に限定されないが、使用者の通常の力で引っ張ることによって分離可能な結合であることが好ましい。例えば図１に示すようにミシン目として形成されていてよい。また、シートの厚みを小さくすること等の他の手段によって、一対の耳材２０、２０の境界を脆弱化する又は応力が掛かりやすいようにすることで、結合部２８を形成してもよい。
【００２８】
マスク本体１０は、複数の層が積層されてなる多層構造を有していてよい。例えば、異物（塵、花粉、細菌、ウィルス等）を捕集する機能が高められた中間層を、外側層及び内側層で挟んだ３層を少なくとも含む構造であってよい。本体１０を構成する各層は、不織布、織物、編物等の繊維含有層を含むことが好ましく、不織布を含むことがより好ましい。不織布としては、スパンボンド不織布、スパンレース不織布、メルトブローン不織布、エアスルー不織布、ポイントボンド不織布等が挙げられる。また、中間層には、細い繊維を含み得るメルトブローン不織布が用いられることが好ましい。また、繊維含有層を構成する繊維は樹脂繊維であると好ましく、樹脂繊維の樹脂の種類としては、ポリエチレン、ポリプロピレン、ポリエチレンテレフタレート、ナイロン等が挙げられる。外側層及び内側層の目付は、１５〜５０ｇ／ｍ２であってよい。異物捕集性の高い中間層の目付は、１０〜１００ｇ／ｍ２であると好ましく、１５〜５０ｇ／ｍ２であるとより好ましい。
【００２９】
耳材２０は、伸縮性を有するシート、好ましくは本体１０より高い伸縮性を有するシートから形成されている。また、耳材２０を構成する伸縮シートの伸縮性は、縦方向Ｄ１及び横方向Ｄ２のいずれか一方向であってよいし、両方向であってもよい。また、縦方向Ｄ１及び横方向Ｄ２の両方で伸縮性を有する場合、縦方向Ｄ１の伸縮性と横方向Ｄ２の伸縮性とは同様であってもよいし、互いに異なっていてもよい。耳材２０が装着時には主として横方向Ｄ２に引っ張られることに鑑みると、耳材２０が横方向Ｄ２に伸縮性を有することによって、本体１０を顔の正面により良好に位置固定できると共に、耳材２０の上部及び／又は下部に及ぼす負担を軽減できる。また、耳材２０が縦方向Ｄ１の伸縮性を有することによって、耳材２０を耳たぶの裏に沿って装着させ、耳材２０に掛かる力を耳たぶの裏側に沿って分散でき、装着者の耳に及ぼす負担を軽減できる。
【００３０】
耳材２０は、伸縮性を有する繊維含有シートを含んでいてよく、且つ／又は伸縮性若しくは弾性を有するフィルムを含んでいてよい。繊維含有シートとしては、不織布、織物、編物等が挙げられ、このうち肌触り、通気性の良さ等から不織布を用いることが好ましい。不織布としては、エアスルー不織布、スパンボンド不織布、スパンレース不織布、ニードルパンチ不織布、ケミカルボンド不織布等が挙げられる。また、不織布に含まれる繊維は樹脂繊維であると好ましく、樹脂繊維の樹脂の種類としては、ポリエチレン、ポリプロピレン、ポリエチレンテレフタレート、ナイロン等が挙げられる。
【００３１】
耳材２０は、上記の伸縮性を有する繊維含有シート又は伸縮性フィルムを単層で含むものであってよいし、上記の伸縮性を有する繊維含有シート及び／又は伸縮性フィルムを複数積層させて、例えば繊維含有シートと伸縮性フィルムとを積層させて構成されていてもよい。繊維含有シートが伸縮性を有する場合、その伸縮性は、繊維含有シートが伸縮性繊維を含むことによって、例えば繊維の材料自体が伸縮性を有する又は繊維が捲縮繊維であることによって発現されていてよい。或いは、所定の物理的構造によって、例えば表面に凹凸を有することによって伸縮性が発現されていてもよい。さらに、耳材２０は、伸縮性を有する又は伸縮性を有さない繊維含有シートで糸状ゴムを挟み込むことによって形成してもよい。繊維含有シートの伸縮性が低い又はない場合には、糸ゴムを伸ばした状態で繊維含有シートを両側から装着することができる。
【００３２】
より具体的には、耳材２０は、伸縮性エアスルー不織布、伸縮性スパンボンド不織布、伸縮性スパンレース不織布、伸縮性ニードルパンチ不織布、伸縮性ケミカルボンド不織布等の単層の不織布を用いることができる。また、スパンボンド／メルトブローン/スパンボンドといった、複数層の不織布からなるものを用いることができる。さらに、不織布／伸縮フィルム、不織布／伸縮フィルム／不織布（例えば、スパンボンド／伸縮フィルム／スパンボンド、エアスルー／伸縮フィルム／エアスルー等）といったラミネートシートを用いることができる。耳材２０を複数層から形成する場合、層同士を、伸縮性又は非伸縮性のホットメルト不織布（加熱により繊維が軟化又は溶融して他部材と接着可能な不織布）で貼り合わせてもよい。耳材２０の目付は、２０〜１５０ｇ／ｍ２であってよい。また、耳材２０の厚みは、１００〜３，０００μｍであってよい。
【００３３】
一対の耳材２０、２０は、本体１０の外面の側部（横方向Ｄ２端部）にそれぞれ結合されている。すなわち、一対の耳材２０、２０のそれぞれの横方向Ｄ２外側の部分が本体１０に接合され、それ以外の部分は、本体１０には接合されていない。本形態によるマスク１００の使用を開始する際、マスク１００の装着前には、一対の耳材２０、２０同士の分離可能な結合を解除して、耳材２０、２０を互いに分離させ（分離動作ともいう）、耳材２０、２０の本体１０に接合されていない部分を横方向Ｄ２側方へ開く（展開動作ともいう）。
【００３４】
（耳材の分離・展開動作）
図３に、図１に示すマスク１００の使用を開始しようとしている状態の図を示す。また、図４に、図３のＩ−Ｉ線断面図を示す。使用開始時、使用者は、図３に示すように一対の耳材２０、２０をそれぞれの手で摘まんで又は把持して、互いに反対方向に引っ張ることができる。これにより、まず、分離可能な結合部２８の結合を解除することができる。結合部２８が、一対の耳材２０、２０間の境界線に沿って形成されたミシン目から構成されているのであれば、ミシン目を破断して両耳材２０、２０を境界線に沿って分離できる。その後、使用者は、一対の耳材２０、２０をそれぞれ把持したまま、図３及び図４の矢印に示す方向に横方向Ｄ２の外方へと開くことができる。
【００３５】
図５に、図３の状態から一対の耳材２０、２０を横方向Ｄ２外方にそれぞれ開いた状態を示す。また、図６に、図５のＩＩ−ＩＩ線断面図を示す。図５及び図６に示すように、一対の耳材２０、２０を開くと、耳材２０、２０が裏返される、すなわち、耳材２０、２０の、使用開始前の状態で本体１０に対向していた面が露出する。
【００３６】
図３に示すように、使用者が一対の耳材２０、２０をそれぞれ把持して横方向Ｄ２外方に開いた後には、マスク１００の外面が、耳材２０、２０を開いた使用者に対向し、マスク１００の内面（顔側の面）が、使用者とは反対側を向くことになる。そのため、本形態によるマスク１００は、他の装着者に装着させるために適している。例えば、マスク１００の外側を上にして（本体１０の外面を上にして）マスク１００が置かれた状態で、使用者が一対の耳材２０、２０をそれぞれ手で把持して横方向Ｄ２外方へ開く。その後、一対の耳材２０、２０を把持したまま、マスク１００を他の装着者の顔へと移動させて、マスク本体１０を装着者の顔の所望の位置へ配置したら、持ち方を変えることなく、一対の耳材２０、２０をそれぞれ装着者の耳に掛けることができる。よって、本形態によるマスク１００は、例えば子供、病人等の、マスクを自らで装着することが困難である人にマスクを装着させる場合に、好適に使用することができる。
【００３７】
また、上述のように一対の耳材２０、２０は、本体１０の外面に配置されているので、一対の耳材２０、２０同士を分離させて横方向Ｄ２外方に開く際に、使用者の手がマスク１００の内側に触れる可能性を低減できるか、又は可能性をなくすことができる。そのため、マスク１００を装着する前の準備段階における耳材２０、２０の展開動作を衛生的に行うことができる。
【００３８】
さらに、図３に示すように、一対の耳材２０、２０には、一対の耳材２０、２０を互いに分離して横方向Ｄ２外方に開く際に使用者が摘まむことができる摘み部２５、２５を有していてよい。摘み部２５、２５は、平面視で本体１０の端縁から突出していると好ましい。摘み部２５、２５が本体１０の端縁から突出していることで、本体１０自体に、すなわち本体１０の外面及び内面のどちらにも触れないで、使用者が両手で摘み部２５、２５を摘まむことができる。そして、使用者は、本体１０に触れずに又はほとんど触れずに一対の耳材２０、２０を分離・展開させることができる。よって、使用者が手指の衛生に十分な配慮ができない状況であっても、良好な衛生状態のマスク１００を自らに又は他人に装着できる。さらに、摘み部２５、２５が、平面視で本体１０の下端（図３において下側の端部）から突出していると、耳材の分離・展開動作を自然に行うことができるので、好ましい。
【００３９】
また、耳材２０が摘み部２５、２５を有することで、使用者は、耳材２０を装着者の耳に掛ける時又は掛けた後に、摘み部２５、２を持って耳材の調整を容易に行うことができる。すなわち、摘み部２５、２５を持って、耳材２０を、耳に対して相対的に耳材２０の周方向にずらして位置調整を行ったり、耳材２０を後側に向かって引っ張ったり緩めたりして耳材２０の張り具合を調整したりすることができる。
【００４０】
マスク１００の装着中、すなわち耳材２０、２０を側方に開いて耳に掛けている状態では、耳材２０、２０は装着者の耳の方へと引っ張られるが、それに伴い、耳材２０、２０の本体１０との結合部分は装着者の顔に向かって押し付けられる。ここで、本形態では、一対の耳材２０、２０が本体１０の外面の両側部にそれぞれ結合されている（図３及び図４）。そのため、マスク１００の装着中、耳材２０の一部は本体１０の両側部の外側に配置される（図５及び図６）、すなわち、本体１０の両側部は耳材２０と装着者の顔との間に配置されることになるので、本体１０の両側部は、耳材２０によって顔に向かって押さえられる。これにより、マスク本体１０の両側部において本体１０と顔との隙間を小さくすることができ、マスクの機能、例えば異物を遮断する機能、装着者が発した飛沫を飛散させない機能等を向上できる。また、本体の両側部の内側（顔側）に耳材２０が配置されていないことで、装着中に、本体１０の両側部において耳材２０が装着者の顔に接触しないので、より良好な装着感も得ることができる。
【００４１】
また、本体１０には、本体１０の外面及び内面の区別を可能にするマーク１８を、エンボス加工、印刷、縫込み等によって形成してもよい。マーク１８は、使用者が目視で認識できるものであれば、その形態は限定されない。マーク１８は、図１等に示すように、文字であってもよいし、数字、記号、図形、ロゴ等であってもよい。
【００４２】
（耳材の形状）
図７に、本形態の一方の耳材２０の拡大平面図を示す。上述のように、一対の耳材２０はそれぞれ、環を含む又は環状の平面視形状を有しており、内側に開口２９を有する。本形態は、耳材２０は、図７に示すように、全体として矩形環状であってよい。本明細書において、矩形環状とは、環の周方向に沿って方向が大きく変更される場所が４つ視認される形状である。或いは、環が、互いに対向するおおよそ直線的に延びる部分を２組有し、隣り合う部分がおおよそ直交する形状である。
【００４３】
矩形環状の耳材２０は、図７に示すように、マスク本体１０に接着されている、接着部２２と、装着時に装着者の耳の後ろに位置するフック部２４と、耳材２０の上側において接着部２２からフック部２４へ移行する上側移行部２３と、耳材２０の下側において接着部２２からフック部２４へ移行する下側移行部２６とを有していてよい。接着部２２及びフック部２４は、おおよそ縦方向Ｄ１に沿って延在し、互いに対向している。また、上側移行部２３及び下側移行部２６は、おおよそ横方向Ｄ２に沿って延在し、互いに対向している。
【００４４】
しかし、耳材２０に含まれる環の形状は、矩形環状に限定されず、おおよそ円形又は楕円形であってもよい。また、環の周方向に沿って方向が大きく変更される場所が３つ、又は５つ以上ある多角形環状の形状を有していてもよい。
【００４５】
上述のように、本形態における一対の耳材２０、２０は単一のシートとして形成されているので、耳材２０、２０を別々に構成して両者をマスク１００の厚み方向に重ねる形態等と比べて、耳材２０の大きさには制限がある。そのため、マスク本体１０の大きさ、特にマスク本体１０の横方向Ｄ２長さが小さい場合、耳材２０の長さを十分に確保できず、装着感を損ねることがあった。これに対し、本形態によれば、耳材２０の環の輪郭に１以上の凸部が形成されていてよい。そのため、マスク１００の装着時に伸縮性の耳材２０が環の周方向に沿って伸長された場合、凸部の部分の材料も伸長されるので、凸部の材料が周方向の伸長に寄与できる。すなわち、凸部が形成されていない場合と比べ、耳材２０の周方向への伸長を大きくすることができる。よって、単一のシートとしての構成を変更することなく、耳材２０の長さを確保することができる。
【００４６】
上記凸部は、耳材２０の環の少なくとも内輪郭に形成されていてよい。耳材２０を耳に掛ける時には耳材２０の開口２９に耳を入れるので、通常は耳と接触する側である耳材２０の内側が優先的に伸長され得る。そのため、凸部が耳材２０の環の内輪郭に形成しておくことで、耳材２０の周方向の長さを効果的に大きくすることができる。なお、本明細書において、輪郭に形成された凸部とは、隣接する両側の領域に対して耳材２０が突出した部分である。また、輪郭に形成された凹部とは、隣接する両側の領域に対して耳材２０が窪んだ部分である。凸部及び凹部はいずれも、２つの変曲点の間に形成された部分であってよい。
【００４７】
凸部が形成される部分は、環における伸縮可能である場所、すなわち本体１０に固定された接着部２２を除く部分のいずれであってもよいが、１以上の凸部が少なくともフック部２４に設けられていると好ましい。耳材２０のフック部２４の内輪郭に形成することで、耳材２０を伸長させる効果を向上できるとともに、耳材２０を装着者の耳に安定して配置できるという効果も奏する。より具体的に説明すると、マスク１００の装着時、シート状である耳材２０は、装着者の耳たぶの裏側又は耳の付け根より後ろの部分に面で接触し得る。すなわち、耳材２０の、使用開始前では本体１０に対向していた面（耳材２０、２０を側方へ開いた後ではマスク１００の外側を向く面）が耳たぶの裏側に面接触するか、又は耳材２０の、使用開始前では外側に露出していた面（耳材２０、２０を側方へ開いた後ではマスク１００の内側を向く面）が耳の付け根の後ろの部分に面接触する。そして、凸部が形成されることで、耳と面接触する面積が大きくなるので、耳材２０の装着位置を安定させることができる。
【００４８】
また、耳材２０には、図７に示すように、フック部２４の環の内輪郭に２つの凸部、すなわち第１凸部ｐｉ１及び第２凸部ｐｉ２が形成されていてよい。フック部２４の上部は、装着時に力が掛かりやすい引っ張られやすい傾向にあるので、フック部２４の上部に形成された第１凸部ｐｉ１は、耳材の周方向の長さを確保するという上述の機能を主として有し得る。一方、フック部２４の下部は装着時に比較的力が掛かりにくく変形しにくいので、フック部２４の下部に形成された第２凸部ｐｉ２は、耳材２０を耳（耳たぶの裏側又は耳の付け根の後ろ側）に安定して装着させるという機能を主として有し得る。
【００４９】
耳材２０の内輪郭に形成された凸部は、凸部の頂点における曲率半径が１０〜３０ｍｍとなるように形成さされていてよい。曲率半径が上記範囲となる凸部を形成することで、装着時に耳材２０の十分な長さの確保、場合によっては耳材２０の耳への安定的な装着という上述の効果を向上できる一方、装着時に凸部の縁部が当たって生じ得る違和感を低減できる。
【００５０】
なお、第１凸部ｐｉ１と第２凸部ｐｉ２との間には、第１凹部ｒｉ１が形成されている。第１凹部ｒｉ１によって、第１凸部ｐｉ１から第２凸部ｐｉ２への移行が滑らかになり、フック部２４の内輪郭を、耳に掛けられた際に耳の形状に（耳の付け根に）自然に沿わせることができるので、より良好な装着感を得ることができる。第１凹部ｒｉ１は、凹部の底点における曲率半径２０〜４０ｍｍとなるように形成されていてよい。
【００５１】
また、フック部２４の幅ｅは１０〜２０ｍｍであってよく、ほぼ一定であってよい。ここで、ほぼ一定とは、幅ｅの最大値と最小値との差が最小値の１０％以下であってよいことを指す。フック部２４の幅ｅをほぼ一定とすると、耳材２０の外輪郭には、凸部に対向する位置に凹部が形成される。例えば、図７に示すように、内輪郭に形成された第１凸部ｐｉ１に対向して外輪郭に第１凹部ｒｏ１が形成され、内輪郭に形成された第２凸部ｐｉ２に対向して外輪郭に第２凹部ｒｏ２が形成されている。また、内輪郭に形成された第１凹部ｒｉ１に対向して外輪郭には第１凸部ｐｏ１が形成されている。外輪郭に形成された一方の耳材２０の第１凸部ｐｏ１は、対となるもう一方の耳材２０の第１凸部と接合して、分離可能な結合部２８を形成している。
【００５２】
また、フック部２４に限らず、耳材２０の幅がほぼ一定であると、凸部に対向して外輪郭に凹部が形成されることになるので、耳材２０の環が伸長される際に生じる材料の歪を外側（外輪郭側）に逃がすことができ、耳材２０の周方向での伸長がより容易になる。よって、装着時に耳材２０の長さを確保するという効果をより確実に得ることができる。
【００５３】
なお、本形態では、図７に示すように、一対の耳材２０、２０を構成するシートの横方向Ｄ２長さの１／２の長さｄ（図７）、すなわち、一対の耳材２０、２０が左右対称の構成を有する場合には１つの耳材２０の横方向Ｄ２長さは、マスク１００の横方向Ｄ２長さの１／２の長さｃより短くなっていてよい。長さｃは長さｄに対して９５％以下であってよいし、９０％以下であってよい。また、長さｃは長さｄに対して７０％以上であると好ましい。長さｄが長さｃより短くなっていることで、本体１０と耳材２０との結合を補強する補助材３０（後述）を利用することが可能になる。耳材２０の横方向Ｄ２の外端２１と本体１０の横方向Ｄ２の外端１１とをずらすことができ、耳材２０に覆われていない本体１０の端部付近に補助材３０を貼ることができる。なお、長さｄは、例えば６０〜９０ｍｍ、好ましくは６５〜８５ｍｍであってよい。
【００５４】
（摘み部）
上述のように、一対の耳材２０、２０には、一対の耳材２０、２０を互いに分離して横方向Ｄ２外方に開く際に使用者が摘まむことができる摘み部２５、２５が設けられていてよい。この摘み部２５の構成は、耳材２０、２０の展開時に使用者が摘まむことができれば特に限定されないが、平面視で本体１０の端縁から突出していることが好ましい。また、摘み部２５は、耳材２０の下側移行部２６に形成されていて、本体１０の下端から突出していることが好ましい（図７）。
【００５５】
摘み部２５、２５が、平面視で本体１０の端縁から突出していることで、使用者は一対の耳材２０、２０を、本体１０から離れた位置で摘まむ又は把持することができる。これにより、耳材の分離及び／又は展開動作を、本体１０に触れずに行うことができるか、又は使用者が本体１０に触れる領域をわずかにすることができる。よって、使用者は、マスクを装着する前の準備段階で、本体１０に触れずに又はほとんど触れずに摘み部２５、２５を摘まむことができる。そして、同様に本体１０に触れずに又はほとんど触れずに、一対の耳材２０、２０を分離・展開することができる。よって、使用者が手指の衛生に十分な配慮ができない状況であっても、良好な衛生状態のマスク１００を準備できる。さらに、摘み部２５が平面視で本体１０の下端から突出していると、使用者は自然な動作で耳材２０、２０を分離して、展開することができる。また、このような本体１０から突出する摘み部２５の構成によって、耳材２０を装着者の耳に掛ける時又は掛けた後に摘み部２５、２を持って耳材の調整を容易に行うことができる、という上述の効果をさらに向上させることができる。
【００５６】
摘み部２５の、本体１０の端縁から突出した部分の縦方向Ｄ１の最大の長さａは、５〜１５ｍｍであると好ましく、８〜１５ｍｍであるとさらに好ましい。また、長さａを上記範囲とすることで、使用者が摘み部２５を摘まみやすく、また耳材２０を確実に持ち上げること及び耳材２０、２０同士を分離させることが容易になると共に、マスク１００を装着する際の妨げにならず、また装着中にも摘み部２５が顔や耳に触れて与え得る違和感を低減できる。
【００５７】
また、摘み部２５の位置も特に限定されず、マスク１００の横方向Ｄ２の端縁から、摘み部２５が最も突出した位置までの横方向Ｄ２長さ（摘み部２５の突出部分の頂点までの横方向Ｄ２長さ）ｂが、マスク１００全体の横方向Ｄ２長さの１／２の長さｃの４５〜９０％であると好ましく、６５〜８０％であるとより好ましい。上記長さｂを長さｃの４５％以上とすることで、耳材２０、２０間の分離可能な結合部２８から離れ過ぎて、耳材２０、２０の分離・展開が円滑にできなくなることを防止する。一方、上記長さｂを上記長さｃの９０％以下とすることで、左右の摘み部２５、２５を両手でそれぞれ摘まんだ時に、両手が近付き過ぎて互いの手を邪魔するようなことがない。
【００５８】
（補助材）
本形態では、上述のように、一対の耳材２０、２０は、それぞれ補助材３０、３０を介して本体１０の両側部にそれぞれ結合されている。補助材３０、３０の構成及び機能について、以下により詳細に説明する。
【００５９】
図８に、マスク１００において補助材３０が設けられている部分の拡大図を示す。図８（ａ）は、部分平面図であり、図８（ｂ）は、図８（ａ）のＩＩＩ−ＩＩＩ線断面図である。また、図９に、図８に示す状態から耳材２０を横方向Ｄ２外方に開いた後の図を示す。図９（ａ）は、部分平面図であり、図９（ｂ）は、図９（ａ）のＩＶ−ＩＶ線断面図である。図８及び図９の例では、本体１０、耳材２０、及び補助材３０がこの順で積層されている。
【００６０】
補助材３０は、本体１０と耳材２０との間を介在して、本体１０と耳材２０とを間接的に結合させるために設けられている。より具体的には、本体１０と補助材３０とは、第１接合部Ｂ１で接合され、耳材２０と補助材３０とは第２接合部Ｂ２で接合されていて、本体１０と耳材２０とは直接接合されていない。第１接合部Ｂ１及び第２接合部Ｂ２は、例えば、圧力及び／又は熱を加えることによって、部材の対向する面同士を接合させる手段、例えばヒートシール、超音波シール、非加熱のエンボス加工等によって形成できる。このうち、確実な接合が可能であることから、ヒートシールを用いることが好ましい。
【００６１】
接合部がヒートシール等によって形成されている場合には、接合部は複数の溶着部分を含んでいてよい。溶着部分は、接合部において、縦方向Ｄ１及び／又は横方向Ｄ２で連続であってもよいし、不連続であってもよい。なお、接合部の溶着部分の形状は、強度を十分に維持できる接合部を形成することができれば、特に限定されない。溶着部分は、長さに比べて幅狭の形状、すなわち線状（直線状又は曲線状）に形成されていてよいし、点状（点として視認され得る形状）に形成されていてよい。また、より具体的には、溶着部分の平面視形状は、矩形、菱形等の四角形、四角形以外の多角形、円形、楕円形等、任意の形状であってよい。
【００６２】
上述のように、本体１０は、異物の侵入を遮断したり装着者が発生する飛沫の飛散を防止したりする機能を有し、一方、耳材２０は、装着時に装着者の耳掛けて本体１０を保持する機能を有する。そのため、本体１０と耳材２０とは通常、異なる材料から形成されており、耳材２０は、比較的伸縮性の高い材料で構成されることが好ましい。よって、本体１０と耳材２０とが直接接合されている従来の構成では、耳材２０が引っ張られること等によってマスク１００に力が加わった時には、本体１０が耳材２０の伸びに追随できず、接合が維持できずに両者が互いに剥がれてしまう可能性もある。
【００６３】
これに対し、本形態では、本体１０と補助材３０との接合部である第１接合部Ｂ１、及び耳材２０と補助材３０との接合部である接合部Ｂ２を別々に形成できる。すなわち、それぞれの結合部を、直接結合させようとする２つの部材の特性に適合した形式で形成できる。よって、例えば、補助材３０の材料として、本体１０との接合、及び耳材２０との接合の両方を最適化できる材料を選択できる。これにより、本体１０と耳材２０との間接的な結合が壊れにくくなり、結果として力が加わっても壊れにくいマスクを得ることができる。
【００６４】
上述のように、本形態のマスク１００を装着する前には、一対の耳材２０、２０にそれぞれ設けられた摘み部２５、２５を摘まんで引っ張ることにより、耳材２０、２０を互いに分離させ、それぞれ側方に開く。このような耳材２０、２０の分離・展開動作の際にはマスク１００に大きな力が掛かりやすい。しかし、本形態によれば、使用開始時の耳材２０、２０の分離・展開動作においても本体１０から剥がれにくく、良好な状態で装着を開始することができる。
【００６５】
補助材３０は、伸縮性のない若しくは小さい材料から形成してもよいし、ある程度の伸縮性を有する材料から形成されると好ましい。また、補助材３０は、力が掛かると形状が不可逆的に変形し得る材料から形成してもよい。補助材３０も、耳材２０と同様の上述の種類の伸縮性不織布を含んでいてよいが、補助材３０の伸縮性は、少なくとも横方向Ｄ２で、耳材２０の伸縮性より小さいことが好ましい。また、補助材３０の伸縮性は、少なくとも横方向Ｄ２で、本体１０の伸縮性より大きいことが好ましい。
【００６６】
伸縮性を有する補助材３０を設けることで、耳材２０が引っ張られた時にも、本体１０の伸びと補助材３０の伸びとの差、及び耳材２０の伸びと補助材３０の伸びとの差をそれぞれ抑えることができる。そのため、本体１０と補助材３０との第１接合部Ｂ１、及び耳材２０と補助材３０との第２接合部Ｂ２がいずれも壊れにくくなり、結果として、本体１０と耳材２０との間接的な結合が壊れにくくなる。なお、補助材３０の目付は、５〜１００ｇ／ｍ２であってよい。また、補助材３０の厚みは、１００〜１，０００μｍであってよい。
【００６７】
補助材３０は、図８及び図９に示すように、マスク１００の縦方向Ｄ１に沿って延在するシート状の部材であってよい。補助材３０の縦方向Ｄ１の長さは、マスク１００の縦方向Ｄ１の長さ（本体１０の縦方向Ｄ１の長さ）と同じであると好ましいが、マスク１００の縦方向Ｄ１の長さより短くてもよい。また、マスク１００の横方向Ｄ２の一方の側（左右どちらかの側）において、補助材３０の横方向Ｄ２の外端３１は、本体１０の横方向Ｄ２の外端１１より横方向Ｄ２内方にあっても外方にあってもよいが、図８（ａ）及び（ｂ）に示すように本体１０の横方向Ｄ２の外端１１と揃った位置にあると好ましい。
【００６８】
補助材３０の横方向Ｄ２の長さ（幅）Ｗは、マスク１００全体のサイズ及び構成、本体１０及び耳材２０のサイズ、形状、材質にもよるが、１５〜３５ｍｍであると好ましい。横方向Ｄ２の長さを上記範囲とすることで、第１接合部Ｂ１及び第２接合部Ｂ２の面積をそれぞれ十分に確保できる一方、補助材３０が、使用開始時の分離・展開動作及び／又は装着の妨げず、本体１０及び耳材２０の機能も妨げない。
【００６９】
図８に示すように、補助材３０は、本体１０の外面側に配置されている。そのため、マスク１００の装着中においても、補助材３０自体が装着者の顔に接触する可能性が低く、本形態のマスク１００による良好な装着感が妨げられない。
【００７０】
さらに上述のように、本形態における耳材２０は、本体１０の両側部を装着者の顔に向かって押し付けるように機能し得るが、本体１０の外面側に積層されている補助材３０も少なくとも部分的に、耳材２０と一体となって、本体１０を顔へ向かって押し付ける機能を果たし得る。これにより、本体１０の両側部と顔との間の隙間をさらに小さくすることができ、マスク１００の機能を向上できる。
【符号の説明】
【００７１】
１０  マスク本体
１１  マスク本体の横方向外端
１５  プリーツ
２０  耳材
２１  耳材の横方向外端
２２  接着部
２３  上側移行部
２４  フック部
２５  摘み部
２６  下側移行部
２８  分離可能な結合部
２９  開口
３０  補助材
３１  補助材の横方向外端
１００  マスク
Ｂ１  第１接合部
Ｂ２  第２接合部
ｐｉ１  内輪郭の第１凸部
ｐｉ２  内輪郭の第２凸部
ｐｏ１  外輪郭の第１凸部
ｒｉ１  内輪郭の第１凹部
ｒｏ１  外輪郭の第１凹部
ｒｏ２  外輪郭の第２凹部
【要約】
【課題】製造上の取り扱い易さを有するとともに、装着感を向上させた耳材を備えたマスクを提供する。
【解決手段】マスク本体と、前記マスク本体に結合された一対の耳材とを備えたマスクであって、前記一対の耳材が、使用開始前の状態で、互いに分離可能に結合され且つ前記マスク本体の外面側に配置された単一の伸縮性シートから形成され、前記一対の耳材が、それぞれ環を含む平面視形状を有し、前記環の少なくとも内側の輪郭が１以上の凸部を有する。
【選択図】図１【図１】
0006968231.tif 000002
【図２】
0006968231.tif 000003
【図３】
0006968231.tif 000004
【図４】
0006968231.tif 000005
【図５】
0006968231.tif 000006
【図６】
0006968231.tif 000007
【図７】
0006968231.tif 000008
【図８】
0006968231.tif 000009
【図９】
0006968231.tif 000010